Podtech/llm-jp-corpus-v4-ja_patent huggingface dataset:
【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
画像の変形を実行可能な画像処理装置であって、
対象画像上の特定画像を含む領域を変形処理の対象の候補領域として設定する候補領域設定部と、
上記設定された候補領域を対象として、所定の除外条件に従って変形処理の対象から除外する領域を判別する除外判別部と、
上記除外判別部によって除外する領域と判別された候補領域以外の候補領域を対象として、領域内の画像の変形を行う変形処理部と、
を備えることを特徴とする画像処理装置。
【請求項２】
上記除外判別部は、特定画像についてのサイズおよび対象画像上での傾きを取得するとともに、当該取得したサイズが当該取得した傾きに応じて決められるサイズ上限値内に収まるか否か判断し、当該取得したサイズがサイズ上限値を超える特定画像を有する候補領域について、変形処理の対象から除外することを特徴とする請求項１に記載の画像処理装置。
【請求項３】
上記除外判別部は、傾きが所定の上限角度に近づくほどにサイズ上限値を小さい値に規定したサイズ上限値規定情報を参照することにより、上記取得したサイズがサイズ上限値内に収まるか否かの判断を行うことを特徴とする請求項２に記載の画像処理装置。
【請求項４】
上記除外判別部は、特定画像の傾きが所定の角度範囲に属するか否か判断し、特定画像の傾きが当該所定の角度範囲外である候補領域について、変形処理の対象から除外することを特徴とする請求項２または請求項３のいずれかに記載の画像処理装置。
【請求項５】
上記除外判別部は、特定画像の上下の向きが異なる各候補領域が存在する場合、特定画像の上下の向きが共通する候補領域の数が最大となる方向に特定画像の上方向が対応している候補領域以外の候補領域について、変形処理の対象から除外することを特徴とする請求項２〜請求項４のいずれかに記載の画像処理装置。
【請求項６】
上下の向きが共通する候補領域の数が最大となる方向が複数存在する場合には、この複数の方向のうちサイズが最大の特定画像を有する候補領域が対応する方向に特定画像の上方向が対応している候補領域以外の候補領域を、変形処理の対象から除外することを特徴とする請求項５に記載の画像処理装置。
【請求項７】
上下の向きが共通する候補領域の数が最大となる方向が複数存在する場合には、この複数の方向のうち所定の優先順位に従って選択した一つの方向に特定画像の上方向が対応している候補領域以外の候補領域を、変形処理の対象から除外することを特徴とする請求項５または請求項６のいずれかに記載の画像処理装置。
【請求項８】
上記除外判別部は、候補領域の数が所定のしきい値を超える場合には、当該しきい値に収まる数の候補領域を特定画像のサイズに従って選択するとともに選択外の候補領域について、変形処理の対象から除外することを特徴とする請求項２〜請求項７のいずれかに記載の画像処理装置。
【請求項９】
上記候補領域設定部は、対象画像上の顔画像を上記特定画像として検出するとともに、検出した顔画像に基づき顔画像毎の候補領域を設定することを特徴とする請求項１〜請求項８のいずれかに記載の画像処理装置。
【手続補正２】
【補正対象書類名】明細書
【補正対象項目名】発明の名称
【補正方法】変更
【補正の内容】
【発明の名称】画像処理装置
【手続補正書】
【提出日】平成22年7月12日(2010.7.12)
【手続補正１】
【補正対象書類名】明細書
【補正対象項目名】００４７
【補正方法】変更
【補正の内容】
【００４７】
次いで、ステップＳ３４では、画像処理部４３においてＨ．２６４により圧縮処理された拡大画像の画像データを、通信制御部４５が、クライアント２、２’の通信制御部５４に向けて送信する。クライアント２、２’では、通信制御部５４を介して拡大画像データを受け取ると、画像処理部５２に拡大画像データを送り、そこで復号化して、画像表示部５１に送る。画像表示部５１では、ディスプレイ２１（２１’）のウィンドウ２２ａの表示領域２３ａ内に復号化された拡大画像を表示する。
【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
表示手段を具備する装置であって、
画像を取得する画像取得手段と、
前記取得した画像内部の２次元コードを復号化する復号化手段と、
前記復号化手段で得られた情報により、操作部から入力されたパスワードが正当なパスワードであると判断した場合に、記憶手段に前記画像を記憶するように制御する記憶制御手段と、
前記記憶手段に記憶されている画像を前記表示手段に表示するようにユーザから指示された場合には、パスワードの入力を要求することなく、前記表示手段に表示するように制御し、
前記記憶手段に記憶されている画像を前記表示手段以外の外部装置の表示手段に表示するようにユーザから指示された場合には、前記外部装置の表示手段に表示するにあたり、パスワードの入力を要求するように制御する制御手段とを有することを特徴とする装置。
【請求項２】
前記記憶手段に記憶されている画像を画像形成するようにユーザから指示された場合には、前記画像の画像形成にあたり、パスワードの入力を要求するように制御することを特徴とする請求項１に記載の装置。
【請求項３】
前記装置には、その表示手段に表示された画像を他のファイルとして扱うためのプリントスクリーン機能が無いことを特徴とする請求項１に記載の装置。
【請求項４】
表示手段を具備する装置の制御方法であって、
画像を取得する画像取得工程と、
前記取得した画像内部の２次元コードを復号化する復号化工程と、
前記復号化工程で得られた情報により、操作部から入力されたパスワードが正当なパスワードであると判断した場合に、記憶手段に前記画像を記憶するように制御する工程と、
前記記憶手段に記憶されている画像を前記表示手段に表示するようにユーザから指示された場合には、パスワードの入力を要求することなく、前記表示手段に表示するように制御し、
前記記憶手段に記憶されている画像を前記表示手段以外の外部装置の表示手段に表示するようにユーザから指示された場合には、前記外部装置の表示手段に表示するにあたり、パスワードの入力を要求するように制御する工程とを含むことを特徴とする装置の制御方法。
【請求項５】
前記記憶手段に記憶されている画像を画像形成するようにユーザから指示された場合には、前記画像の画像形成にあたり、パスワードの入力を要求するように制御することを特徴とする請求項４に記載の装置の制御方法。
【請求項６】
前記装置には、その表示手段に表示された画像を他のファイルとして扱うためのプリントスクリーン機能が無いことを特徴とする請求項４に記載の装置の制御方法。
【請求項７】
請求項４から請求項６のいずれかに記載の制御方法を、装置に実行させるためのプログラム。
【請求項８】
請求項７に記載のプログラムを記録したコンピュータ読み取り可能な記憶媒体。
【手続補正２】
【補正対象書類名】明細書
【補正対象項目名】発明の名称
【補正方法】変更
【補正の内容】
【発明の名称】装置及び装置の制御方法並びにそのプログラム及び記憶媒体
【手続補正３】
【補正対象書類名】明細書
【補正対象項目名】０００１
【補正方法】変更
【補正の内容】
【０００１】
本発明は、２次元コードを取り扱うことができる装置及び装置の制御方法並びにそのプログラム及び記憶媒体に関する。
【手続補正４】
【補正対象書類名】明細書
【補正対象項目名】０００８
【補正方法】変更
【補正の内容】
【０００８】
上記課題を解決するため、本発明は、表示手段を具備する装置であって、画像を取得する画像取得手段と、前記取得した画像内部の２次元コードを復号化する復号化手段と、前記復号化手段で得られた情報により、操作部から入力されたパスワードが正当なパスワードであると判断した場合に、記憶手段に前記画像を記憶するように制御する記憶制御手段と、前記記憶手段に記憶されている画像を前記表示手段に表示するようにユーザから指示された場合には、パスワードの入力を要求することなく、前記表示手段に表示するように制御し、前記記憶手段に記憶されている画像を前記表示手段以外の外部装置の表示手段に表示するようにユーザから指示された場合には、前記外部装置の表示手段に表示するにあたり、パスワードの入力を要求するように制御する制御手段とを有することを特徴とする装置を提供する。
【手続補正５】
【補正対象書類名】明細書
【補正対象項目名】０００９
【補正方法】変更
【補正の内容】
【０００９】
また、本発明は、上記装置において、前記記憶手段に記憶されている画像を画像形成するようにユーザから指示された場合には、前記画像の画像形成にあたり、パスワードの入力を要求するように制御することを特徴とする。
【手続補正６】
【補正対象書類名】明細書
【補正対象項目名】００１０
【補正方法】変更
【補正の内容】
【００１０】
また、本発明は、前記装置に、その表示手段に表示された画像を他のファイルとして扱うためのプリントスクリーン機能が無いことを特徴とする。
【手続補正７】
【補正対象書類名】明細書
【補正対象項目名】００１１
【補正方法】変更
【補正の内容】
【００１１】
また、本発明は、表示手段を具備する装置の制御方法であって、画像を取得する画像取得工程と、前記取得した画像内部の２次元コードを復号化する復号化工程と、前記復号化工程で得られた情報により、操作部から入力されたパスワードが正当なパスワードであると判断した場合に、記憶手段に前記画像を記憶するように制御する工程と、前記記憶手段に記憶されている画像を前記表示手段に表示するようにユーザから指示された場合には、パスワードの入力を要求することなく、前記表示手段に表示するように制御し、前記記憶手段に記憶されている画像を前記表示手段以外の外部装置の表示手段に表示するようにユーザから指示された場合には、前記外部装置の表示手段に表示するにあたり、パスワードの入力を要求するように制御する工程とを含むことを特徴とする装置の制御方法を提供する。
【手続補正８】
【補正対象書類名】明細書
【補正対象項目名】００１２
【補正方法】変更
【補正の内容】
【００１２】
また、本発明は、上記装置の制御方法において、前記記憶手段に記憶されている画像を画像形成するようにユーザから指示された場合には、前記画像の画像形成にあたり、パスワードの入力を要求するように制御することを特徴とする。
【手続補正９】
【補正対象書類名】明細書
【補正対象項目名】００１３
【補正方法】変更
【補正の内容】
【００１３】
また、本発明は、上記装置の制御方法において、前記装置には、その表示手段に表示された画像を他のファイルとして扱うためのプリントスクリーン機能が無いことを特徴とする。
【手続補正１０】
【補正対象書類名】明細書
【補正対象項目名】００１４
【補正方法】変更
【補正の内容】
【００１４】
また、上記装置の各制御方法における諸ステップは、装置に備わる制御手段としてのコンピュータに実行させるためのプログラムとして構成することができる。そして、このプログラムを前記コンピュータに読み込ませることにより当該制御方法をコンピュータに実行させることができる。また、このプログラムは、このプログラムを記録したコンピュータ読み取り可能な記憶媒体を介して前記コンピュータに読み込ませることができる。
【手続補正書】
【提出日】平成22年8月24日(2010.8.24)
【手続補正１】
【補正対象書類名】特許請求の範囲
【補正対象項目名】全文
【補正方法】変更
【補正の内容】
【特許請求の範囲】
【請求項１】
遊技領域が主として設けられる遊技板を有する遊技演出ユニットと、
少なくとも図柄の変動表示が行われる表示手段と、
発射位置にある遊技球を、遊技領域へ発射しうる発射手段と、
前面側に設けられ、遊技球を貯留する貯留部を有すると共に、当該貯留部に貯留される遊技球を前記発射位置へ案内可能な貯留案内手段と、
前記発射手段による遊技球の発射を指示すると共に、遊技を進行させうる操作手段と、
前記遊技の進行に伴って遊技価値を付与しうる遊技価値付与手段と、
前記遊技価値付与手段として、遊技球を前記遊技価値として付与可能な第１遊技価値付与手段、及び、前記遊技球とは異なる物品を前記遊技価値として付与可能な第２遊技価値付与手段、と、
遊技領域に設けられ、遊技球が入球可能な始動口と、
遊技領域に設けられ、遊技球が入賞困難な閉状態と当該閉状態よりも遊技球が入賞容易な開状態とに変化可能な開閉入賞口と、
前記始動口への遊技球の入球を検出する検出手段と、
前記検出手段にて遊技球の入球が検出されることに基づき、所定確率で抽選を行う抽選手段、
前記抽選手段による抽選結果が当選となる毎に、前記開閉入賞口を開閉作動させる前記第１遊技価値付与手段により前記遊技球の付与を実行する第１遊技価値付与実行手段、
前記遊技球を前記貯留案内手段の貯留部へ払い出す払出制御手段、
及び、前記抽選手段による抽選結果に応じた情報を出力可能な情報出力手段、
を少なくとも有する第１遊技制御手段と、
前記情報出力手段にて出力される情報を入力する情報入力手段、
前記情報入力手段にて入力された前記情報に基づき、前記変動表示を行うと共に、前記抽選手段による抽選結果を、前記表示手段を介して示唆可能な表示制御手段、
前記情報入力手段にて入力された前記情報に基づいて判定、若しくは、前記情報に拘わらず特定条件の成立を判定する判定手段、
及び、前記判定手段による判定結果に基づき、前記第２遊技価値付与手段による前記物品の付与を実行する第２遊技価値付与実行手段、
を少なくとも有する第２遊技制御手段と
を備えることを特徴とする遊技機。
【請求項２】
前記物品は、予め収容されているものである
請求項１に記載の遊技機。
【請求項３】
前記第２遊技価値付与実行手段は、前記物品の収容後、一度だけ前記物品の付与を実行しうるものである
請求項２に記載の遊技機。
【手続補正書】
【提出日】平成22年8月24日(2010.8.24)
【手続補正１】
【補正対象書類名】特許請求の範囲
【補正対象項目名】全文
【補正方法】変更
【補正の内容】
【特許請求の範囲】
【請求項１】
遊技領域が主として設けられる遊技板を有する遊技演出ユニットと、
少なくとも図柄の変動表示が行われる表示手段と、
発射位置にある遊技球を、遊技領域へ発射しうる発射手段と、
前面側に設けられ、遊技球を貯留する貯留部を有すると共に、当該貯留部に貯留される遊技球を前記発射位置へ案内可能な貯留案内手段と、
所定数の遊技球を前記貯留案内手段の貯留部へ払い出す払出制御手段と、
前記発射手段による遊技球の発射を指示すると共に、遊技を進行させうる操作手段と、
前記遊技の進行に伴って遊技価値を付与しうる遊技価値付与手段と、
遊技領域に設けられ、遊技球が入球可能な始動口と、
遊技領域に設けられ、遊技球が入賞困難な閉状態と当該閉状態よりも遊技球が入賞容易な開状態とに変化可能な開閉入賞口と、
前記始動口への遊技球の入球を検出する検出手段と、
前記検出手段にて遊技球の入球が検出されることに基づき、所定確率で抽選を行う抽選手段と、
前記抽選手段による抽選結果に基づき、前記変動表示を行うと共に、前記抽選手段による抽選結果を、前記表示手段を介して示唆可能な表示制御手段とを備え、
前記遊技価値付与手段は、
前記抽選手段による抽選結果が当選となる毎に、前記開閉入賞口を開閉作動させることにより遊技球を前記遊技価値として付与しうる第１遊技価値付与手段と、
前記抽選手段による抽選に当選した場合若しくは当選したか否かに拘わらず、特定の契機で、前記遊技球とは異なる物品を前記遊技価値として付与しうる第２遊技価値付与手段とを有する
ことを特徴とする遊技機。
【請求項２】
前記物品は、予め収容されているものである
請求項１に記載の遊技機。
【請求項３】
前記第２遊技価値付与手段は、前記物品の収容後、一度だけ前記物品を付与しうるものである
請求項１または請求項２に記載の遊技機。
【手続補正書】
【提出日】平成22年8月24日(2010.8.24)
【手続補正１】
【補正対象書類名】特許請求の範囲
【補正対象項目名】全文
【補正方法】変更
【補正の内容】
【特許請求の範囲】
【請求項１】
遊技領域が主として設けられる遊技板を有する遊技演出ユニットと、
少なくとも図柄の変動表示が行われる表示手段と、
所定の物品を載置可能な載置手段、前記載置手段に載置された物品の取り出しが規制される閉塞位置と当該物品の取り出しが許容される開放位置とに変位しうる開閉扉手段、前記開閉扉手段を変位させる扉駆動手段、及び、前記載置手段の内部を視認可能としうる視認手段、を少なくとも有する物品収容手段と、
発射位置にある遊技球を、遊技領域へ発射しうる発射手段と、
前面側に設けられ、遊技球を貯留する貯留部を有すると共に、当該貯留部に貯留される遊技球を前記発射位置へ案内可能な貯留案内手段と、
前記発射手段による遊技球の発射を指示すると共に、遊技を進行させうる操作手段と、
前記遊技の進行に伴って遊技価値を付与しうる遊技価値付与手段と、
前記遊技価値付与手段として、遊技球を前記遊技価値として付与可能な第１遊技価値付与手段、及び、前記載置手段に載置される物品を前記遊技価値として付与可能な第２遊技価値付与手段、と、
遊技領域に設けられ、遊技球が入球可能な始動口と、
遊技領域に設けられ、遊技球が入賞困難な閉状態と当該閉状態よりも遊技球が入賞容易な開状態とに変化可能な開閉入賞口と、
前記始動口への遊技球の入球を検出する検出手段と、
前記検出手段にて遊技球の入球が検出されることに基づき、所定確率で抽選を行う抽選手段、
前記抽選手段による抽選結果が当選となる毎に、前記開閉入賞口を開閉作動させる前記第１遊技価値付与手段により前記遊技球の付与を実行する第１遊技価値付与実行手段、
前記遊技球を前記貯留案内手段の貯留部へ払い出す払出制御手段、
及び、前記抽選手段による抽選結果に応じた情報を出力可能な情報出力手段、
を少なくとも有する第１遊技制御手段と、
前記情報出力手段にて出力される情報を入力する情報入力手段、
前記情報入力手段にて入力された前記情報に基づき、前記変動表示を行うと共に、前記抽選手段による抽選結果を、前記表示手段を介して示唆可能な表示制御手段、
前記載置手段の内部が視認容易な状態と視認困難な状態とに切り換えるよう前記視認手段を制御する視認制御手段、
前記情報入力手段にて入力された前記情報に基づいて判定、若しくは、前記情報に拘わらず特定条件の成立を判定する判定手段、
及び、前記判定手段による判定結果に基づき、前記開閉扉手段を変位させるよう前記扉駆動手段を制御する前記第２遊技価値付与手段により、前記物品の付与を実行する第２遊技価値付与実行手段、
を少なくとも有する第２遊技制御手段と、
を備えることを特徴とする遊技機。
【請求項２】
前記開閉扉手段は、前記閉塞位置にあっては、前記載置手段の上部に設けられた開口部を閉塞し、一方、前記開放位置にあっては、前記載置手段の上部に設けられた開口部を開放する
請求項１に記載の遊技機。
【請求項３】
前記開閉扉手段が前記閉塞位置から前記開放位置へ変位するにつれて、前記載置手段の前記開口部は、遊技者に対して奥側から手前側へ開放されていくものである
請求項２に記載の遊技機。
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
複数種類の図柄を施した図柄帯が付された可動表示体を複数有した図柄変動表示装置を備え、前記図柄変動表示装置は前記可動表示体に付された図柄帯上の図柄を所定個数分の図柄群として前記図柄変動表示装置内の所定箇所に表示可能とする図柄表示部を有し、
遊技価値の投入と遊技者の始動操作により複数の前記可動表示体の変動を開始させ、全ての前記可動表示体の停止操作が受け付けられると、前記図柄表示部に１回のゲームの結果を表示する遊技機であって、
ゲームの進行に伴う複数の演出態様を遊技機の外部に向けて実行する演出実行手段と、
１回のゲームごとに予め決められた複数の当選役及びハズレ役の中からいずれかを選び出す抽選を行う内部抽選手段と、
前記内部抽選手段により行われる前記内部抽選に予め決められた通常の抽選確率を適用して前記内部抽選の結果を判断する通常抽選判断手段と、
前記通常抽選判断手段とは別に、前記内部抽選手段により行われる前記内部抽選に前記通常の抽選確率に代えて、前記通常の抽選確率に比して遊技者に有利となる特別な抽選確率を適用して前記内部抽選の結果を判断する特別抽選判断手段と、
前記可動表示体の回転を個々に停止させるべく個々の前記可動表示体について前記停止操作を受け付けることの可能な複数の停止操作手段と、
前記複数の停止操作手段にて停止操作が受けられると、前記停止操作の受け付けられた当該可動表示体ごとに前記内部抽選の結果に基づいて前記可動表示体の変動停止を制御する可動表示体停止制御手段と、
前記図柄表示部内に表示された所定個数分の図柄群を前記複数の可動表示体にまたがって見た場合に、各々の前記可動表示体について少なくとも１つの図柄を選び出してできる組み合わせのうち、前記当選役に対応する図柄の組み合わせが表示されたときにその組み合わせを有効とする表示位置を決定する有効表示位置決定手段と、
全ての前記可動表示体が停止状態となると、前記有効表示位置決定手段により決定された前記有効表示位置に前記当選役に対応する図柄の組み合わせが表示されたか否かを判定する表示図柄判定手段とを備え、
前記複数の当選役は、
所定の期間にて遊技価値の付与される機会を増加させた特別遊技状態に遊技状態を移行させる契機となる特別当選役を少なくとも有し、
前記内部抽選の当選役のうち、少なくとも前記特別当選役の抽選確率を前記通常の抽選確率から前記特別な抽選確率に変更させた特別抽選遊技状態にてゲームの進行を制御する特別抽選遊技状態制御手段と、
前記特別抽選遊技状態に移行可能な特別抽選遊技移行可能状態を所定期間継続させる移行可能状態継続手段と、
前記特別遊技状態の終了後から前記特別抽選遊技移行可能状態を開始させる移行可能状態開始手段と
をさらに備え、
前記演出実行手段は、
前記特別遊技移行可能状態の開始とともに遊技状態が当該特別遊技移行可能状態であることを示唆する態様の演出の実行を開始し、当該演出を前記所定期間継続させる移行可能状態示唆演出手段を有する
ことを特徴とする遊技機。
【請求項２】
前記複数の当選役は、前記特別当選役とは別に当該ゲームにて遊技価値の付与を伴う特典に対応する特定当選役を少なくとも有し、
前記特別抽選遊技移行可能状態にて前記特定当選役に当選した場合、所定の割合にて前記特別抽選遊技状態に遊技状態を移行させる特別抽選遊技状態移行手段をさらに備える
請求項１に記載の遊技機。
【請求項３】
前記特別抽選遊技状態制御手段により前記特別抽選遊技状態にてゲームの進行が制御されると、前記特別抽選遊技状態が継続するあいだは少なくとも１つ以上の当選役について前記特別抽選判断手段により前記内部抽選の結果を判断させる特別抽選判断継続手段とをさらに備える
請求項１または請求項２に記載の遊技機。
【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
遊技盤の前面に形成され、発射手段から発射された遊技球が打ち込まれる遊技領域と、
該遊技領域に設けられた複数種類の入賞口と、
該複数種類の入賞口のうち始動入賞口に遊技球が入球したことに基づいて遊技者に所定の利益を付与する利益付与状態に制御するか否かを判定する利益付与判定手段と、
前記利益付与判定手段による判定がなされたことに基づいて複数種類の図柄情報を変動表示して所定の表示結果を導出表示する表示手段と、
前記遊技領域に設けられ、遊技球を受け入れ可能な開放状態と遊技球を受け入れ困難な閉塞状態とに変化可能な大入賞口開閉手段と、を備え、
前記利益付与判定手段により前記利益付与状態に制御すると判定されたことに基づいて前記表示手段に特定表示結果を導出表示し、前記大入賞口開閉手段を前記開放状態に変化させて前記利益付与状態に制御する遊技機であって、
遊技者に操作可能に設けられる操作手段と、
前記表示手段を表示制御する表示制御手段と、
前記利益付与判定手段により前記利益付与状態に制御すると判定されたとき、前記利益付与状態の終了後に前記利益付与判定手段によって通常状態よりも高い確率で前記利益付与状態に制御すると判定される高確率状態に制御するか否かを判定する高確率状態判定手段と、
前記表示制御手段によって前記表示手段に表示結果を導出表示するときに前記高確率状態判定手段の判定結果として前記高確率状態に制御しないことを仮通知した後、前記高確率状態制御手段の判定結果を通知する昇格演出を実行するか否か判定する演出判定手段と、
該演出判定手段により前記昇格演出を実行すると判定されたとき、前記特定表示結果を導出表示した後に前記表示手段にて演出態様の異なる複数種類の昇格演出を所定期間に亘って提示する演出提示手段と、
該演出提示手段によって前記複数種類の昇格演出を提示している期間における前記操作手段の操作に応じて前記複数種類の昇格演出のいずれかを選択し、前記期間内に前記操作手段を操作されなかったときに一の昇格演出を選択する演出選択手段と、を備え、
前記表示制御手段は、
前記高確率状態判定手段により前記高確率状態に制御すると判定され且つ前記演出判定手段により前記昇格演出を実行しないと判定されたときに前記特定表示結果として特別表示結果を導出表示し、前記高確率状態判定手段により前記高確率状態に制御すると判定され且つ前記演出判定手段により前記昇格演出を実行すると判定されたとき、及び前記高確率状態判定手段により前記高確率状態に制御しないと判定されたときに前記特定表示結果として非特別表示結果を導出表示し、
前記演出判定手段により前記昇格演出を実行すると判定されたことに基づいて前記演出選択手段により選択された昇格演出を実行し、前記昇格演出を実行して前記高確率状態判定手段の判定結果として前記高確率状態に制御しない旨を通知したことを条件に前記利益付与状態の終了後に前記演出選択手段により選択された昇格演出の演出態様に対応する演出態様の特別演出を実行することを特徴とする遊技機。
【請求項２】
前記利益付与状態の終了後に前記表示制御手段によって前記表示手段にて実行される前記図柄情報の変動表示の実行回数を計数する変動回数計数手段と、
該変動回数計数手段により計数した前記変動回数が予め決められた上限回数に達したか否かを判定する実行回数判定手段と、を備え、
前記表示制御手段は、前記昇格演出を実行して前記高確率状態判定手段の判定結果として前記高確率状態に制御しない旨を通知したことに基づいて前記利益付与状態の終了後に複数回の変動表示に跨って前記特別演出を実行し、前記実行回数判定手段により前記上限回数に達した旨の判定がなされたことに基づいて前記特別演出の実行を終了することを特徴とする請求項１記載の遊技機。
【請求項３】
前記利益付与状態の終了後に前記実行回数判定手段により前記変動回数が前記上限回数に達した旨の判定がなされるまで前記表示制御手段により前記図柄情報の変動表示を開始してから前記表示結果を導出表示するまでの変動時間を通常よりも短縮させる時短状態に制御する時短状態制御手段を備えることを特徴とする請求項２記載の遊技機。
【手続補正書】
【提出日】平成22年8月26日(2010.8.26)
【手続補正１】
【補正対象書類名】特許請求の範囲
【補正対象項目名】請求項６
【補正方法】変更
【補正の内容】
【請求項６】
前記振動腕先端側におもり部が形成されており、前記基部及びおもり部には前記第１の金属膜上に第２の金属膜が形成されることを特徴とする請求項５に記載の音叉型圧電振動片。
【手続補正２】
【補正対象書類名】明細書
【補正対象項目名】０００６
【補正方法】変更
【補正の内容】
【０００６】
特許文献２に開示された音叉型圧電振動片では、熱処理（アニール、リフロー処理）の際の水晶の熱膨張率と金（Ａｕ）の熱膨張率との違いにより、振動腕部に応力が生じる。このため形状によって定まる固有振動数が変わり、振動片の周波数の安定性や振動エネルギー損失を表すＣＩ値が変動する問題があった。また、音叉型圧電振動片の製品コストを下げるための要望は強い。
【手続補正３】
【補正対象書類名】明細書
【補正対象項目名】０００７
【補正方法】変更
【補正の内容】
【０００７】
本発明の目的は、特に熱処理の際の熱膨張率の違いにより生じる振動片の周波数やＣＩ値の変動を低減するとともに、製造コストを下げることができる圧電振動片の製造方法を提供することである。
【手続補正４】
【補正対象書類名】明細書
【補正対象項目名】０００９
【補正方法】変更
【補正の内容】
【０００９】
第２の観点の圧電振動片の製造方法において、電極パタ−ン形成工程は、第２の金属膜上にレジストを塗布するレジスト塗布工程と、レジストを電極パタ−ンの形状に感光させる第１感光工程と、感光されたレジストを除去し、第１及び第２の金属膜をエッチングで除去する第１除去工程と、を有する。
この構成により、第１及び第２の金属膜をエッチングで除去することで、電極パタ−ンを形成することができる。
【手続補正５】
【補正対象書類名】明細書
【補正対象項目名】００１１
【補正方法】変更
【補正の内容】
【００１１】
第４の観点の圧電振動片の製造方法において、圧電振動片は、基部、この基部から延びる少なくとも一対の振動腕部及びこの振動腕部に形成された溝部を有し、所定箇所は少なくとも溝部を含む。
第４の観点によれば、振動腕の溝部が少なくとも所定箇所に含まれるため、圧電振動片の肉厚が薄い部分には、第２の金属膜がなく第１金属膜のみ残っている。このため、肉厚の薄い部分が第２の金属膜の熱膨張の影響を受けなくなるため、熱膨張率の違いにより生じる振動片の周波数のバラツキやＣＩ値の変動を低減することができる。
【手続補正６】
【補正対象書類名】明細書
【補正対象項目名】００１２
【補正方法】変更
【補正の内容】
【００１２】
第５の観点の圧電振動片は、圧電材料により形成された基部と、基部の一端側から所定方向に延びる一対の振動腕と、振動腕に形成された溝部と、溝部の表面に形成されたＣｒ（クロム）、Ｎｉ（ニッケル）、Ｔｉ（チタン）のうちいずれか1つの一層のみの第１の金属膜と、を備える。
第５の観点によれば、溝部の表面に熱膨張係数の大きな第２の金属膜が形成されていないため、熱膨張率の違いにより生じる振動片の周波数のバラツキやＣＩ値の増加が低減する。
【手続補正７】
【補正対象書類名】明細書
【補正対象項目名】００１３
【補正方法】変更
【補正の内容】
【００１３】
第６の観点の圧電振動片は、振動腕先端側におもり部が形成されており、基部及びおもり部には第１の金属膜上に第２の金属膜が形成される。
第６の観点によれば、振動腕先端側におもり部には、第１の金属膜上に第２の金属膜が形成されたままであるため、周波数調整において第１の金属膜と第２の金属膜とを除去することで調整しやすくなる。
【手続補正８】
【補正対象書類名】明細書
【補正対象項目名】００２０
【補正方法】変更
【補正の内容】
【００２０】
２層構造の金属膜は、１５０オングストローム（Å）〜５０００オングストローム（Å）のクロム（Ｃｒ）層の上に１００オングストローム（Å）〜５０００オングストローム（Å）の金（Ａｕ）層が形成された構成になっている。すなわち、第一層と第二層とを合わせると、２５０Å〜１００００Åの電極パターンの厚さになる。また、クロム（Ｃｒ）層の代わりに、タングステン（Ｗ）層、ニッケル（Ｎｉ）層、ニッケルタングステン層又はチタン（Ｔｉ）層を使用してもよく、また金（Ａｕ）層の代わりに、銀（Ａｇ）層を使用してもよい。
【手続補正９】
【補正対象書類名】明細書
【補正対象項目名】００３３
【補正方法】変更
【補正の内容】
【００３３】
ステップＳ１１８では、単結晶水晶ウエハ１０のフォトレジスト層３６を現像して、感光したフォトレジスト層４２を除去する。さらに、フォトレジスト層３６から露出した金層３２を、たとえばヨウ素とヨウ化カリウムの水溶液を用いて、金層３２をエッチングする。次いで、金層３２が除去されて露出したクロム層３１を、たとえば硝酸第二セリウムアンモニウムと酢酸との水溶液でエッチングする。水溶液の濃度、温度及び水溶液に浸している時間を調整して余分な箇所が侵食されないようにする。これで耐蝕膜を除去することができる。こうすることで、図４（ｄ）に示すように、音叉型水晶振動片２０の外形パターンが形成された単結晶水晶ウエハ１０が現われる。
【手続補正１０】
【補正対象書類名】明細書
【補正対象項目名】００３６
【補正方法】変更
【補正の内容】
【００３６】
ステップＳ１２４では、露光されたフォトレジスト４２’が現像され除去される。ただし、図５（ｇ）に示すように、この時点では溝部２７に関しては露光されたフォトレジスト４２’が除去されるが耐蝕膜が残っている。露光されたフォトレジスト４２’が現像され除去されると、再び、図４（ｄ）で示した音叉型水晶振動片２０の外形パターンの単結晶水晶ウエハ１０が現われる。
【手続補正書】
【提出日】平成22年8月16日(2010.8.16)
【手続補正１】
【補正対象書類名】特許請求の範囲
【補正対象項目名】全文
【補正方法】変更
【補正の内容】
【特許請求の範囲】
【請求項１】
読取原稿を画像として読み取る画像読取装置であって、
光源部と、
前記光源部から出力されて前記読取原稿を経由した光を受光し、受光量に応じた電荷を蓄積する受光部と、
前記読取原稿に対する前記受光部の相対的な位置を、所定の走査方向に移動させる移動機構と、
前記移動の最中において、所定の蓄電期間に前記受光部に電荷を蓄積し、前記受光部に蓄積された電荷を読み出すことを繰り返し実行する受光制御部と、
前記蓄電期間より短い適正受光時間を、第１の受光期間と第２の受光期間とに分割し、前記第１の受光期間と前記第２の受光期間とに前記読取原稿を経由した光を前記受光部に照射するとともに、前記第１の受光期間と前記第２の受光期間との間に前記読取原稿を経由した光を前記受光部に照射しない照射制御部と、
を備える、画像読取装置。
【請求項２】
請求項１に記載の画像読取装置であって、
前記第１の受光期間は前記蓄電期間の開始時期から始まり、前記第２の受光期間は前記蓄電期間の終了時期に終わる、画像読取装置。
【請求項３】
請求項１または請求項２に記載の画像読取装置であって、
前記光源部は、発光ダイオードを含み、
前記照射制御部は、前記第１の受光期間と前記第２の受光期間とに前記発光ダイオードを点灯させ、前記第１の受光期間と前記第２の受光期間との間に前記発光ダイオードを消灯させる光源制御部である、画像読取装置。
【請求項４】
請求項３に記載の画像読取装置において、
繰り返される複数回の前記蓄電期間のうちの第１の蓄電期間の終了時期と、次の第２の蓄電期間の開始時期は、同一または近接した時期であり、
前記光源制御部は、前記第１の蓄電期間の前記第２の受光期間の開始時期から前記第２の蓄電期間の１の受光期間の終了時期まで、前記発光ダイオードを連続して点灯させる、画像読取装置。
【請求項５】
請求項１ないし請求項４のいずれかに記載の画像読取装置において、
前記第１の受光期間と前記第２の受光期間とは、略同一の長さである、画像読取装置。
【請求項６】
請求項１ないし請求項５のいずれかに記載の画像読取装置において、
前記移動機構は、移動速度に変動が生じる、画像読取装置。
【請求項７】
光源部と、前記光源部から出力されて読取原稿を経由した光を受光し、受光量に応じた電荷を蓄積する受光部と、を制御して前記読取原稿を画像として読み取る画像読取方法であって、
前記読取原稿に対する前記受光部の相対的な位置を、所定の走査方向に移動し、
前記移動の最中に、前記受光部への電荷の蓄積を開始し、
前記電荷の蓄積の開始から始まる第１の受光期間に前記前記読取原稿を経由した光を前記受光部に照射し、
前記第１の受光期間の後の非受光期間に受光部に前記読取原稿を経由した光を照射せず、
前記非受光期間の後の第２の受光期間に前記読取原稿を経由した光を前記受光部に照射し、
前記第２の受光期間の終わりに前記受光部に蓄積された電荷の読み出しを開始し、
前記電荷の蓄積と前記電荷の読み出しを繰り返し実行する、画像読取方法。
【手続補正書】
【提出日】平成22年8月31日(2010.8.31)
【手続補正１】
【補正対象書類名】特許請求の範囲
【補正対象項目名】全文
【補正方法】変更
【補正の内容】
【特許請求の範囲】
【請求項１】
画像を生成する撮像素子と、前記撮像素子で生成された画像を表示する表示手段と、前記撮像素子で生成された画像に対して予め設定された条件を満たす被写体の検出処理を行う検出手段とを有する撮像装置において、
前記撮像素子に露出制御値の異なる複数の画像を生成させる露出制御手段を有し、
前記検出手段は、
前記複数の画像それぞれの輝度値に基づいて、前記複数の画像からいずれかの画像を選択し、選択した画像に対して前記検出処理を行うか、
前記複数の画像それぞれに対して前記検出処理を行い、得られた検出結果の内、前記輝度値に基づいて前記異なる複数の画像のいずれかの画像の検出結果を選択するか、あるいは、
前記複数の画像それぞれに対して前記検出処理を行い、得られた検出結果を前記輝度値に基づいて混合することで、前記複数の画像から前記予め設定された条件を満たす被写体を検出し、
前記表示手段は、前記複数の画像のうちのいずれかの画像を表示することを特徴とする撮像装置。
【請求項２】
前記露出制御手段は、前記撮像素子に、第１の画像、前記第１の画像よりも露出制御値の大きい第２の画像、および、前記第１の画像よりも露出制御値の小さい第３の画像を前記複数の画像として生成させるものであり、
前記表示手段は、前記第１の画像を用いて表示を行うことを特徴とする請求項１に記載の撮像装置。
【請求項３】
前記露出制御値の異なる複数の画像は、それぞれ前記撮像素子における異なるラインを用いて生成した画像であることを特徴とする請求項１または２に記載の撮像装置。
【請求項４】
前記検出手段は、前記露出制御値の異なる複数の画像から、それぞれの画像の平均の輝度値と中心部の輝度値の大きさの関係に基づいていずれかの画像を選択し、選択した画像における前記検出手段による検出結果を用いることで、前記複数の画像から前記予め設定された条件を満たす被写体を検出することを特徴とする請求項１乃至３のいずれか１項に記載の撮像装置。
【請求項５】
前記検出手段は、前記露出制御値の異なる複数の画像それぞれにおける前記検出手段による検出結果を前記輝度値に基づいて加重平均することで、前記複数の画像から前記予め設定された条件を満たす被写体を検出することを特徴とする請求項１乃至３のいずれか１項に記載の撮像装置。
【請求項６】
前記検出手段は、前記予め設定された条件を満たす被写体として、人の顔を検出することを特徴とする請求項１乃至５のいずれか１項に記載の撮像装置。
【請求項７】
画像を生成する撮像素子と、前記撮像素子で生成された画像を表示する表示手段と、前記撮像素子で生成された画像に対して予め設定された条件を満たす被写体の検出処理を行う検出手段とを有する撮像装置の制御方法において、
露出制御手段が、前記撮像素子に露出制御値の異なる複数の画像を生成させる工程と、
前記検出手段が、
前記複数の画像それぞれの輝度値に基づいて、前記複数の画像からいずれかの画像を選択し、選択した画像に対して前記検出処理を行うか、
前記複数の画像それぞれに対して前記検出処理を行い、得られた検出結果の内、前記輝度値に基づいて前記異なる複数の画像のいずれかの画像の検出結果を選択するか、あるいは、
前記複数の画像それぞれに対して前記検出処理を行い、得られた検出結果を前記輝度値に基づいて混合することで、前記複数の画像から前記予め設定された条件を満たす被写体を検出する工程と、
前記複数の画像のうちのいずれかの画像を前記表示手段が表示する工程と
を有することを特徴とする撮像装置の制御方法。
【手続補正２】
【補正対象書類名】明細書
【補正対象項目名】０００８
【補正方法】変更
【補正の内容】
【０００８】
上記目的を達成するために、本発明の撮像装置は、画像を生成する撮像素子と、前記撮像素子で生成された画像を表示する表示手段と、前記撮像素子で生成された画像に対して予め設定された条件を満たす被写体の検出処理を行う検出手段とを有する撮像装置において、前記撮像素子に露出制御値の異なる複数の画像を生成させる露出制御手段を有し、前記検出手段は、前記複数の画像それぞれの輝度値に基づいて、前記複数の画像からいずれかの画像を選択し、選択した画像に対して前記検出処理を行うか、前記複数の画像それぞれに対して前記検出処理を行い、得られた検出結果の内、前記輝度値に基づいて前記異なる複数の画像のいずれかの画像の検出結果を選択するか、あるいは、前記複数の画像それぞれに対して前記検出処理を行い、得られた検出結果を前記輝度値に基づいて混合することで、前記複数の画像から前記予め設定された条件を満たす被写体を検出し、前記表示手段は、前記複数の画像のうちのいずれかの画像を表示する。
【手続補正３】
【補正対象書類名】明細書
【補正対象項目名】０００９
【補正方法】変更
【補正の内容】
【０００９】
また、画像を生成する撮像素子と、前記撮像素子で生成された画像を表示する表示手段と、前記撮像素子で生成された画像に対して予め設定された条件を満たす被写体の検出処理を行う検出手段とを有する撮像装置の本発明の制御方法は、露出制御手段が、前記撮像素子に露出制御値の異なる複数の画像を生成させる工程と、前記検出手段が、前記複数の画像それぞれの輝度値に基づいて、前記複数の画像からいずれかの画像を選択し、選択した画像に対して前記検出処理を行うか、前記複数の画像それぞれに対して前記検出処理を行い、得られた検出結果の内、前記輝度値に基づいて前記異なる複数の画像のいずれかの画像の検出結果を選択するか、あるいは、前記複数の画像それぞれに対して前記検出処理を行い、得られた検出結果を前記輝度値に基づいて混合することで、前記複数の画像から前記予め設定された条件を満たす被写体を検出する工程と、前記複数の画像のうちのいずれかの画像を前記表示手段が表示する工程とを有する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正書】
【提出日】平成22年8月30日(2010.8.30)
【手続補正１】
【補正対象書類名】特許請求の範囲
【補正対象項目名】全文
【補正方法】変更
【補正の内容】
【特許請求の範囲】
【請求項１】
基板処理装置において基板を載置する基板載置台であって、
載置台本体と、
前記載置台本体の基板載置側の表面に基板が載置された際に基板の周縁部に接触し、基板の下側部分に熱伝達用ガスが流通する閉空間を形成する周縁環状凸部と、
前記基板載置側の表面の周縁部付近又は中央部付近のいずれか一方に形成された前記熱伝達用ガス流入口と、
他方に形成された前記熱伝達用ガス流出口と、
前記基板載置側の表面に形成され、前記熱伝達用ガスが前記熱伝達用ガスの流入口から流出口に流動するときにコンダクタンスＣを形成する流路と
を備えたことを特徴とする基板載置台。
【請求項２】
基板処理装置において基板を載置する基板載置台であって、  
載置台本体と、
前記載置台本体の基板載置側の表面に基板が載置された際に基板の周縁部に接触し、基板の下側部分に熱伝達用ガスが流通する閉空間を形成する周縁環状凸部と、
前記基板載置側の表面の中心点から距離ｒ離れた位置に形成された前記熱伝達用ガスの流入口又は流出口と、
前記基板載置側の表面に形成され、前記熱伝達用ガスが前記熱伝達用ガスの流入口から流出口に流動するときにコンダクタンスＣを形成する流路と、
前記中心点から前記距離ｒの範囲に形成された複数の点状突起と
が設けられたことを特徴とする基板載置台。
【請求項３】
基板処理装置において基板を載置する基板載置台であって、 
載置台本体と、
前記載置台本体の基板載置側の表面に基板が載置された際に基板の周縁部に接触し、前記基板の下側部分に熱伝達用ガスが流通する閉空間を形成する周縁環状凸部と、
前記閉空間に環状に設けられ、前記熱伝達用ガスが流動するときにコンダクタンスＣの流路を形成する複数の略円形の仕切り壁と、  
前記基板載置側の表面の中央部付近に形成された前記熱伝達用ガスの流入口又は流出口と、
前記基板載置側の表面の周縁部付近に設けられ、前記中央部付近に形成された流入口又は流出口に対応する少なくとも１以上の流出口又は流入口とを備え、
前記各略円形の仕切り壁には前記熱伝達用ガスが流通するための切り欠き部が設けられていることを特徴とする基板載置台。
【請求項４】
前記コンダクタンスＣは、下記（１）式で定義され、前記コンダクタンスＣの値が所望の範囲内にあることを特徴とする請求項１から３のいずれかに記載の基板載置台。
Ｃ（ｍ３／ｓｅｃ）＝Ｑ／ΔＰ                …………（１）
ここで、Ｑ：熱伝達用ガスの質量流量（Ｐａ・ｍ３／ｓｅｃ）
ΔＰ：熱伝達用ガスの流入口と流出口間の差圧（Ｐａ）
【請求項５】
前記流路は、上端が前記基板と接触せずに近接して設けられた矩形又は円柱形状の突起部を連結材により連結した流路形成部材を環状に複数列形成してなることを特徴とする請求項１又は２に記載の基板載置台。
【請求項６】
前記流路は、上端に前記基板と接触する小突起を備えた矩形又は円柱形状の突起部を連結材により連結した流路形成部材を環状に複数列形成してなることを特徴とする請求項１又は２に記載の基板載置台。
【請求項７】
前記コンダクタンスＣが、３×１０−８ｍ３／ｓｅｃから３×１０−４ｍ３／ｓｅｃの範囲内にあることを特徴とする請求項１から６のいずれかに記載の基板載置台。
【請求項８】
前記コンダクタンスＣが、３×１０−７ｍ３／ｓｅｃから３×１０−５ｍ３／ｓｅｃの範囲内にあることを特徴とする請求項１から６のいずれかに記載の基板載置台。
【請求項９】
前記熱伝達用ガスの流入口と流出口における熱伝達用ガスの圧力差が、１０Ｔｏｒｒから４０Ｔｏｒｒであることを特徴とする請求項１から８のいずれかに記載の基板載置台。
【請求項１０】
前記熱伝達用ガスの流量が１ｓｃｃｍから１００ｓｃｃｍであるときに、前記熱伝達用ガスの流入口と流出口における熱伝達用ガスの圧力差が１０Ｔｏｒｒから４０Ｔｏｒｒとなるように、前記流路が形成されていることを特徴とする請求項９に記載の基板載置台。
【請求項１１】
前記略円形の仕切り壁の上端が前記基板に接触せずに近接していることを特徴とする請求項３に記載の基板載置台。
【請求項１２】
前記略円形の仕切り壁の上端が前記基板に接触していることを特徴とする請求項３に記載の基板載置台。
【請求項１３】
基板を収容し、内部が減圧保持される処理室と、
前記処理室内に設けられ、前記基板が載置された、請求項１から１２のいずれかに記載された構成を有する基板載置台と、
前記処理室内で前記基板に所定の処理を施す処理機構と、
前記基板載置台と前記基板との間に形成された前記閉空間内を流通する熱伝達用ガスを供給する熱伝達用ガス供給機構と
を具備することを特徴とする基板処理装置。
【請求項１４】
前記熱伝達用ガス供給機構から供給される熱伝達用ガスの圧力を制御する制御機構を有することを特徴とする請求項１３に記載の基板処理装置。
【請求項１５】
請求項１から１２のいずれかに記載の基板載置台を用いて基板の温度を制御する基板の温度制御方法であって、
前記コンダクタンスＣが、３×１０−７ｍ３／ｓｅｃから３×１０−５ｍ３／ｓｅｃの範囲内にある場合において、
前記熱伝達用ガスの流入口と流出口における熱伝達用ガスの圧力差が、１０Ｔｏｒｒから４０Ｔｏｒｒとなるように熱伝達用ガスの供給流量を制御することを特徴とする基板の温度制御方法。
【請求項１６】
請求項５に記載の基板載置台を用いて基板の温度を制御する基板の温度制御方法であって、
前記流路形成部材の上端と前記基板との隙間の高さ、及び／又は環状に設ける列数により、前記コンダクタンスＣを調整することを特徴とする基板の温度制御方法。
【請求項１７】
請求項６に記載の基板載置台を用いて基板の温度を制御する基板の温度制御方法であって、
前記小突起の高さ、幅、及び／又は前記小突起を備えた流路形成部材を環状に設ける列数により、前記コンダクタンスＣを調整することを特徴とする基板の温度制御方法。
【請求項１８】
請求項３に記載の基板載置台を用いて基板の温度を制御する温度制御方法であって、
前記環状に設ける略円形の仕切り壁の列数により、前記コンダクタンスＣを調整することを特徴とする基板の温度制御方法。
【請求項１９】
請求項３に記載の基板載置台を用いて基板の温度を制御する温度制御方法であって、
環状に設ける略円形の仕切り壁の上端と前記基板との隙間の高さにより、前記コンダクタンスＣを調整することを特徴とする基板の温度制御方法。
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
順に積層された第１半導体層、活性層、第２半導体層と、前記第１半導体層と電気的に接続された第１電極と、第２半導体層と電気的に接続された第２電極とを備えた回折格子型発光ダイオードにおいて、
前記第１半導体層及び第２半導体層の少なくとも一方と前記活性層を貫通する多数の空孔を２次元周期的に配置すると共に、非発光再結合速度をvsとした場合に前記空孔の配置周期ａが次の式
【数１】
2009060046.tif 000001
(ただし、ηin(0)は空孔を設けない場合の内部量子効率、Ｋは空孔の配列状態により定まる定数、ｆは空孔の2次元的充填率、Ｒspは空孔を設けた場合の自然放出レート、Ｆγは空孔を設けない構造に対する空孔を設けた構造の光取り出し効率増加比を示す。）
を満たすように設計されることを特徴とする回折格子型発光ダイオード。
【請求項２】
順に積層された第１半導体層、活性層、第２半導体層と、前記第１半導体層と電気的に接続された第１電極と、第２半導体層と電気的に接続された第２電極とを備えた回折格子型発光ダイオードにおいて、
前記第１半導体層及び第２半導体層の少なくとも一方と前記活性層を貫通する多数の空孔を２次元周期的に配置すると共に、その配置周期を前記活性層の発光中心波長の1．8倍以上に設定したこと、
を特徴とする回折格子型発光ダイオード。
【請求項３】
前記活性層の発光中心波長が470〜570nmであることを特徴とする請求項１又は２に記載の回折格子型発光ダイオード。
【手続補正２】
【補正対象書類名】明細書
【補正対象項目名】０００４
【補正方法】変更
【補正の内容】
【０００４】
例えば特許文献１には、発光ダイオードにフォトニック結晶構造を形成し、外部量子効率を高める方法が記載されている。
フォトニック結晶内では、その周期構造により、結晶中の光のエネルギーに関してバンド構造が形成され、光の伝播が不可能となるエネルギー領域(波長帯、フォトニックバンドギャップ（PBG））が存在する。フォトニックバンドギャップ内の波長を有する光は、周期構造が形成された面内を伝播することができず、この面に垂直な方向にのみ伝播する。フォトニックバンドギャップは、誘電体の屈折率や周期構造の周期により定まる。
【手続補正３】
【補正対象書類名】明細書
【補正対象項目名】０００６
【補正方法】変更
【補正の内容】
【０００６】
フォトニック結晶構造は、半導体層に空孔を２次元周期的に形成することにより得られるが、フォトニック結晶と同様の構造であっても回折格子として機能する場合がある。このような構造は一般的に回折格子型構造と呼ばれ、上述のフォトニック結晶構造はフォトニックバンドギャップ型（PBG型）構造と呼ぶ。PBG型構造と回折格子型構造は、発光体の外部量子効率を向上させるメカニズムが異なる。
【手続補正４】
【補正対象書類名】明細書
【補正対象項目名】００１０
【補正方法】変更
【補正の内容】
【００１０】
上記課題を解決するために成された本発明は、
順に積層された第１半導体層、活性層、第２半導体層と、前記第１半導体層と電気的に接続された第１電極と、第２半導体層と電気的に接続された第２電極とを備えた回折格子型発光ダイオードにおいて、
前記第１半導体層及び第２半導体層の少なくとも一方と前記活性層を貫通する多数の空孔を２次元周期的に配置すると共に、非発光再結合速度をvsとした場合に前記空孔の配置周期ａが次の式
【数１】
2009060046.tif 000002
(ただし、ηin(0)は空孔を設けない場合の内部量子効率、Ｋは空孔の配列状態により定まる定数、ｆは空孔の2次元的充填率、Ｒspは空孔を設けた場合の自然放出レート、Ｆγは空孔を設けない構造に対する空孔を設けた構造の光取り出し効率増加比を示す。）
を満たすように設計されることを特徴とする。
【手続補正５】
【補正対象書類名】明細書
【補正対象項目名】００２５
【補正方法】変更
【補正の内容】
【００２５】
透明電極層１８、ｐ型GaN層１６、InGaN/GaN活性層１４、ｎ型GaN層１２には、これらの層にほぼ垂直な方向に延びる多数の空孔２４が設けられている。前記空孔２４は、ｐ型GaN層１６、InGaN/GaN活性層１４、ｎ型GaN層１２に平行な面内で三角格子状に配置されている。尚、透明電極層１８上に前記ｐ型電極２０が設けられている領域には空孔２４は形成されていない。
前記空孔２４は、その径が８００nm、深さが８５０nm、三角格子の一辺の長さは１μmに設定されており、透明電極層１８、ｐ型GaN層１６及びInGaN/GaN活性層１４を貫通し、ｎ型GaN層１２内で終止するように形成されている。